(57)【要約】【課題】コ字形断面のエッジガイドを嵌めて取り付ける障害のない構成としたフリーアクセスフロア用床板パネルのエッジガイド取付構造、及び床板パネルを提供する。【解決手段】床板パネルは、平坦な上面板と底板とを重ね合わせて成り、底板は、外周形状が前記上面板と同一で、周辺部に平らなフランジ部を有し、前記フランジ部の内方に同フランジ部に連続するほぼ垂直な周側壁を有し、前記上面板と底板はかしめ接合により一体的に結合されている。底板のフランジ部のかしめ接合のうち、パネル外周縁部へ嵌めるエッジガイドが当たる部位のかしめ接合は、深絞り接合の状態からフランジ部底面の位置にまで押し戻した平面化処理で行われている。【選択図】図１
2004218279.tif 000002
【特許請求の範囲】
【請求項１】
フリーアクセスフロア用床板パネルの外周縁部の全周にエッジガイドを取り付ける構造において、
床板パネルは、上面板と底板とを重ね合わせて成り、
上面板は平坦な板であり、
底板は、外周形状が前記上面板と同一で、周辺部に平らなフランジ部を有し、前記フランジ部の内方に同フランジ部に連続するほぼ垂直な周側壁を有しており、
前記上面板と底板はかしめ接合により一体的に結合されており、
底板の前記フランジ部は、パネル全周にわたり、適宜の間隔をあけたスポット部位をかしめ接合により上面板と結合されており、
底板の前記フランジ部のかしめ接合のうち、パネル外周縁部へ嵌めるエッジガイドが当たる部位のかしめ接合は、深絞り接合の状態からフランジ部底面の位置にまで押し戻した平面化処理で行われており、
エッジガイドは断面がコ字形であり、当該パネルの外周縁部へ嵌めて取り付けられていることを特徴とする、床板パネルのエッジガイドの取付構造。
【請求項２】
外周縁部へエッジガイドを取り付けてフリーアクセスフロアを形成する床板パネルにおいて、
床板パネルは、上面板と底板とを重ね合わせて成り、
上面板は平坦な板であり、
底板は、外周形状が前記上面板と同一で、周辺部に平らなフランジ部を有し、前記フランジ部の内方に同フランジ部に連続するほぼ垂直な周側壁を有しており、
前記上面板と底板はかしめ接合により一体的に結合されており、
底板の前記フランジ部は、パネル全周にわたり、適宜の間隔をあけたスポット部位をかしめ接合により上面板と結合されており、
底板の前記フランジ部のかしめ接合のうち、パネル外周縁部へ嵌めるエッジガイドが当たる部位のかしめ接合は、深絞り接合の状態からフランジ部底面の位置にまで押し戻した平面化処理で行われており、
上面板と、これに当接する底板の前記突起物の頂部とのかしめ接合、及び底板の前記フランジ部のかしめ接合のうちパネル外周縁部へ嵌めるエッジガイドが当たらない部位のかしめ接合はそれぞれ、上面板から底板に向かう深絞りのかしめ接合で行われており、
断面がコ字形のエッジガイドがパネル外周縁部へ嵌めて取り付けられていることを特徴とする、床板パネル。
【請求項３】
床板パネルの四隅付近のフランジ部の幅は狭く形成されており、この幅狭なフランジ部におけるかしめ接合であってエッジガイドが当たる部位のかしめ接合は、深絞り接合の状態からフランジ部底面の位置にまで押し戻した平面化処理で行われていること、
床板パネルの前記四隅付近のフランジ部以外のフランジ部の幅は広く形成されており、この広幅なフランジ部におけるかしめ接合であってエッジガイドが当たらない部位のかしめ接合は、上面板から底板に向かう深絞りのかしめ接合で行われていることを特徴とする、請求項２に記載した床板パネル。
【請求項４】
床板パネルの四隅付近のフランジ部以外の広幅なフランジ部に連続する周側壁は平面的に見て内外方向へ波打ち状態に形成されており、前記広幅なフランジ部のかしめ接合は、パネル外周縁部へ嵌めるエッジガイドが当たらないように、前記周側壁が内方へ深く凹んだ部位を選んで加工されていることを特徴とする、請求項３に記載した床板パネル。
【発明の詳細な説明】
【０００１】
【発明の属する技術分野】
この発明は、建物のコンクリート床上にフリーアクセスフロアを形成する床板パネルの外周縁部へエッジガイドを取り付ける構造、及び前記エッジガイドを有するフリーアクセスフロア用床板パネルの技術分野に属する。
【０００２】
【従来の技術】
従来、フリーアクセスフロアを形成する床板パネルの構成は、上下に重ね合わせた上面板と底板を接合して一体化したものが広く知られている（例えば特許文献１〜３及び６，７）。
上記構成の床板パネルにおける上面板と底板の接合法は、上面板と底板の当接部をスポット溶接する方法と、かしめ接合する方法とに大別される。
【０００３】
また、床板パネルの上面板の上に表面仕上げ材として合成樹脂製タイルを貼り付けたタイプと、仕上げ材は無いがカーペットなどを敷き込んで使用するタイプとが知られている。前記タイル貼り付けタイプの床板パネルは更に、パネル外周縁部へエッジガイドを取り付けるタイプ（例えば特許文献１，２）と、エッジガイド無しタイプ（例えば特許文献３，４）とに大別される。ちなみに図５はエッジガイド付き床板パネルによるフリーアクセスフロアの構築状況を示している。
図中の符号１は建物のコンクリート床へ固定して立てた支持脚で、２がパネル受板である。図示の床板パネルは、その四隅部分が前記支持脚１のパネル受板２で支持されている。符号３は各床板パネルの外周縁部へ取り付けたエッジガイドであり、４がタイルである。エッジガイド３は、図６に例示したように、合成樹脂を断面コ字形に押し出し成形した型材が使用され、タイル４の厚さと同一に形成されている。
【０００４】
特許文献１には、外周縁にエッジガイドを取り付け、このエッジガイドに囲まれた上面板の上面に表面仕上げ材としてカーペットを敷き込んだ床板パネルが開示されている。
特許文献２には、床板パネルの外周縁に取り付けたエッジガイド同士を熱溶着により接合して一体化するエッジガイドが開示されている。
【０００５】
特許文献３及び４には、上面板と底板とを重ね合わせてかしめ接合により結合して一体化した床板パネルが開示されている。
特許文献５には、重ね合わせた２枚の薄板をかしめ接合により結合する方法が開示されている。同公報には、重ね合わせた２枚の薄板を押し潰し作用により深絞りしてかしめ接合する方法のほか、一旦深絞りしたかしめ接合を再び元の板表面まで押し戻して平面化処理するかしめ接合の方法も開示されている。
特許文献６の特に図１（ｂ）には、底板の周側壁を部分的に凹ませて、その部位にかしめ接合を加工した例が記載されている。
特許文献７には、四隅を支持脚に支持される床板パネルの交点部分を止めネジで締め付けて固定する交点固定型のフリーアクセスフロアが開示されている。
【０００６】
【特許文献１】
実開平３−５４４５０号公報
【特許文献２】
実開平５−３２５７７号公報
【特許文献３】
特開平８−１００５１１号公報
【特許文献４】
実公平７−５６４３２号公報
【特許文献５】
特開昭６３−２５６２３１号公報
【特許文献６】
特開２０００−１１０３３７号公報
【特許文献７】
特開平１０−１２１７０５号公報
【０００７】
【発明が解決しようとする課題】
床板パネルの製造法として、重ね合わせた上面板と底板をかしめ接合により結合して一体化する方法は、これを溶接で行う方法に比較すると、１回のプレス工程で済み数倍も製造速度が速い。よって、製造コスト面からはかしめ接合による製法が断然有利に実施される。
【０００８】
床板パネルの底板には、床板パネルの剛性と厚さを確保する手段として特許文献３及び７に見られるように、半球形状の突起物が一定の配置で複数個設けられる。このような床板パネルにおけるかしめ接合は、各突起物の頂点と上面板との接点は当然のこと、底板の外周辺部に平らに形成されたフランジ部と上面板との重ね合わせ部位についても行う。四隅を支持脚にいわば両端支持された形の床板パネルが上載荷重を受けると、パネル周辺部、とりわけ支持脚のパネル受板に支持された四隅付近のフランジ部に応力負荷が最も大きく厳しく作用する。そのため前記部分には比較的小ピッチの間隔をあけたスポット部位を多数かしめ接合して強度と構造的安定性を確保することが行われる。
【０００９】
通常のかしめ接合は、結合強度が大きくなるように、例えば特許文献４の図４や図５に見られるように、重ね合わせた上面板と底板を下向きに膨出させるほど深絞りのかしめ接合を行い、強固な結合を実現する。よって、結合強度は十分に大きく構造的安定性も高いが、深絞り接合の結果、底板の下面から下方へ１ｍｍ〜２ｍｍ程度膨出した「突起」を生じてしまう。前記「突起」がフランジ部に発生すると、パネル外周縁部へコ字形断面のエッジガイドを嵌めて取り付ける際に障害物となることがある。
【００１０】
その対策として、前記かしめ接合（突起）の位置を、エッジガイドに当たらないように床板パネルの外周縁から内方へ必要な寸法だけ偏位させる加工法も考えられる。しかし、このエッジガイド付き床板パネルは、いわゆる交点固定型の床板パネルと共通なプレス加工金型を使用して製造されており、床板パネルの四隅のフランジ幅は狭く形成されている。即ち、交点固定型の床板パネルを支持する支持脚は、図７に例示したように、パネル受板２の上に、平面的に見ると円を４等分する十字形状のフランジ受部２ａを形成した構成である。交点固定型の床板パネルは、図８に例示したように、隣接する二つの床板パネルＰ１，Ｐ２のフランジ部Ｆ１，Ｆ２が、前記フランジ受部２ａの幅寸ｗ（およそ１０ｍｍ程度）を二分した幅で支持される。そして、床板パネルＰ１，Ｐ２において、前記フランジ部Ｆ１，Ｆ２に連続する垂直な周側壁Ｃは、前記フランジ受部２ａの側面へぴったり密着して水平方向へのズリ動きを生じない構成とされている。このような次第で、非固定型の上記エッジガイド付き床板パネルの四隅部分の形態も、製造の便宜上、前記交点固定型床板パネルと同様に製造され、パネルの四隅部分に限っては、フランジ部の幅が狭く限定されている。このように幅狭なフランジ部については、かしめ接合の加工位置を選択する余地は無いに等しく、前記深絞りかしめ接合の突起は、パネル外周縁へエッジガイドを嵌めて取り付ける際の障害物となることを避けられないという問題がある。
【００１１】
そこで本発明の目的は、床板パネルの製造に、製造速度が速く製造コスト面で有利なかしめ接合による製法を採用して、しかもパネル四隅のフランジ部に重要なかしめ接合を、コ字形断面のエッジガイドを嵌めて取り付ける際に障害とならない構成に工夫したフリーアクセスフロア用床板パネルのエッジガイド取付構造、及び床板パネルを提供することである。
本発明の目的は、強度と構造的安定性に優れて、製造コストが安価なフリーアクセスフロア用床板パネルのエッジガイド取付構造、及び床板パネルを提供することである。
【００１２】
【課題を解決するための手段】
上述の課題を解決するための手段として、請求項１に記載した発明に係る床板パネルのエッジガイドの取付構造は、
フリーアクセスフロア用床板パネルの外周縁部の全周にエッジガイドを取り付ける構造において、
床板パネルは、上面板と底板とを重ね合わせて成り、
上面板は平坦な板であり、
底板は、外周形状が前記上面板と同一で、周辺部に平らなフランジ部を有し、前記フランジ部の内方に同フランジ部に連続するほぼ垂直な周側壁を有しており、
前記上面板と底板はかしめ接合により一体的に結合されており、
底板の前記フランジ部は、パネル全周にわたり、適宜の間隔をあけたスポット部位をかしめ接合により上面板と結合されており、
底板の前記フランジ部のかしめ接合のうち、パネル外周縁部へ嵌めるエッジガイドが当たる部位のかしめ接合は、深絞り接合の状態からフランジ部底面の位置にまで押し戻した平面化処理で行われており、
エッジガイドは断面がコ字形であり、当該パネルの外周縁部へ嵌めて取り付けられていることを特徴とする。
【００１３】
請求項２に記載した発明に係る床板パネルは、
外周縁部へエッジガイドを取り付けてフリーアクセスフロアを形成する床板パネルにおいて、
床板パネルは、上面板と底板とを重ね合わせて成り、
上面板は平坦な板であり、
底板は、外周形状が前記上面板と同一で、周辺部に平らなフランジ部を有し、前記フランジ部の内方に同フランジ部に連続するほぼ垂直な周側壁を有しており、
前記上面板と底板はかしめ接合により一体的に結合されており、
底板の前記フランジ部は、パネル全周にわたり、適宜の間隔をあけたスポット部位をかしめ接合により上面板と結合されており、
底板の前記フランジ部のかしめ接合のうち、パネル外周縁部へ嵌めるエッジガイドが当たる部位のかしめ接合は、深絞り接合の状態からフランジ部底面の位置にまで押し戻した平面化処理で行われており、
上面板と、これに当接する底板の前記突起物の頂部とのかしめ接合、及び底板の前記フランジ部のかしめ接合のうちパネル外周縁部へ嵌めるエッジガイドが当たらない部位のかしめ接合はそれぞれ、上面板から底板に向かう深絞りのかしめ接合で行われており、
断面がコ字形のエッジガイドがパネル外周縁部へ嵌めて取り付けられていることを特徴とする。
【００１４】
請求項３に記載した発明は、請求項２に記載した床板パネルにおいて、
床板パネルの四隅付近のフランジ部の幅は狭く形成されており、この幅狭なフランジ部におけるかしめ接合であってエッジガイドが当たる部位のかしめ接合は、深絞り接合の状態からフランジ部底面の位置にまで押し戻した平面化処理で行われていること、
床板パネルの前記四隅付近のフランジ部以外のフランジ部の幅は広く形成されており、この広幅なフランジ部におけるかしめ接合であってエッジガイドが当たらない部位のかしめ接合は、上面板から底板に向かう深絞りのかしめ接合で行われていることを特徴とする。
【００１５】
請求項４に記載した発明は、請求項３に記載した床板パネルにおいて、
床板パネルの四隅付近のフランジ部以外の広幅なフランジ部に連続する周側壁は平面的に見て内外方向へ波打ち状態に形成されており、前記広幅なフランジ部のかしめ接合は、パネル外周縁部へ嵌めるエッジガイドが当たらないように、前記周側壁が内方へ深く凹んだ部位を選んで加工されていることを特徴とする。
【００１６】
【発明の実施形態】
以下に、図面を参照して、請求項１〜４に記載した発明に係る床板パネルのエッジガイドの取付構造、及び床板パネルの実施形態を説明する。
図１〜図４は、四辺の外周縁部の全周へエッジガイド３を取り付けてフリーアクセスフロアを形成する床板パネル１０の実施形態を示す。
【００１７】
この床板パネル１０は、薄鋼板よりなる平坦な上面板６と、外周形状が前記上面板６と同一で、周辺部に平らなフランジ部５Ｂを有する底板５とを重ね合わせて一体的に結合して成る。底板５は、前記フランジ部５Ｂの内方に、フランジ部５Ｂに連続して下方へ略垂直に曲げられた周側壁５Ｃを有する。そして、前記周側壁５Ｃに囲まれた内方部分に、内半径が２６ｍｍ程度で上向きに半球形状をなす突起物５Ａがおよそ７０ｍｍピッチの千鳥状配置で複数形成されている。前記半球形状をなす突起物５Ａが、当該床板パネル１０の強度及び剛性を高め、パネルに適度の厚み感をもたらす。
【００１８】
上記の上面板６と底板５は、溶接を一切使用することなく、製造速度に優れたかしめ接合により一体的に結合されている。具体的には先ず、上面板６とこれに当接する底板５の前記突起物５Ａの頂部との各接点が、例えば図３と図４に断面形状を示したように、上面板６から底板５に向かう深絞りのかしめ接合８（いわゆる膨出型かしめ）で一体的に結合されている。そのため半球形状をなす突起物５Ａの頂部位置に、かしめ接合８により膨出された突起が下向きに生じている。
【００１９】
次に、底板５の上記フランジ部５Ｂと上面板６との重ね合わせ部分も、床板パネル１０の四辺全周にわたり、適宜の間隔をあけた多数のスポット部位をかしめ接合して一体的な結合が行われている。但し、この部分のかしめ接合は、接合位置及び範囲を大別して、次の２種類の内容で行われている。
【００２０】
（第１種のかしめ接合）
図１を見ると明らかな通り、床板パネル１０を構成する底板５の周辺部（前記周側壁５Ｃより外方）のフランジ部５Ｂは、床板パネル１０の四隅付近（角から辺方向に約７０ｍｍ程度の長さ範囲）の幅寸を狭く（約１０ｍｍ前後に）形成され、それ以外（前記範囲を除く中間部分）のフランジ部５Ｂの幅は比較的広く（最も広いところは２０ｍｍ程度に）形成されている。その理由は、上記段落番号００１０に説明した通りである。したがって、床板パネル１０の四隅付近の幅狭なフランジ部５Ｂへ加工されるかしめ接合は、それによって発生する突起の直径（通例４ｍｍ程度）をいかに縮小化し、或いはかしめ接合の位置を内方へ偏位させる努力をしても、上記エッジガイド３の取り付けに必要とされる嵌め込み深さ（少なくとも２ｍｍ位）をパネル外周縁部に確保することは至難である。一方、この床板パネル１０は、図５に例示したように、支持脚１のパネル受板２により各四隅を支持される関係上、前記範囲のかしめ接合１１，１１には、大きな結合強度を要求される。
【００２１】
そこで、床板パネル１０の四隅付近のフランジ部における図１中２個のかしめ接合１１，１１については、図２（イ）及び図３に断面形状を詳示したように、深絞り接合の状態から当該フランジ部５Ｂの底面位置まで押し戻した平面化処理（所謂フラット型）で行われている。このフラット型のかしめ接合１１は、上記膨出型のかしめ接合８のような突起を生じさせず、フランジ部５Ｂの底面位置がそのまま維持される。よって、かしめ接合１１の直径の大小如何、或いはかしめ接合１１位置の如何にかかわらず、エッジガイド３を外周縁部に嵌めて取り付ける際の障害物は発生しない。勿論、このフラット型のかしめ接合１１については、加工後に研磨する等の後処理も必要ない。
【００２２】
（第２種のかしめ接合）
次に、床板パネル１０の上記四隅付近以外（辺の中間部分）の広幅なフランジ部５Ｂにおけるかしめ接合８は、かしめ接合位置をできるだけ内方へ偏位させる努力をすることで、エッジガイド３の取り付けに必要とされる嵌め込み深さ（少なくとも２ｍｍ位）をパネル外周縁部に確保することが可能である。そのため図２（ハ）に示したように上面板６から底板５に向かう深絞りのかしめ接合８として行われている（請求項３に記載した発明）。
【００２３】
更に、図１の実施形態に即して説明すると、この床板パネル１０の周側壁５Ｃは、図１のように平面的に（底面から）見ると、前記四隅付近を除き、広幅なフランジ部５Ｂに連続する部分の周側壁５Ｃは内外方向へ波打ち状態に形成されている。その結果、前記広幅なフランジ部５Ｂの幅寸は、広いところでは約２０ｍｍにも及ぶ場所が多くある。よって、当該広幅なフランジ部５Ｂに加工するかしめ接合８は、図１に示したように、パネル外周縁部へ嵌めるエッジガイド３が当たらないように、周側壁５Ｃが内方へ深く凹んだ部位を選んで、図２（ハ）及び図３、図４に断面形状を示したように、上面板６から底板５に向かう深絞りのかしめ接合８（膨出型）として加工されている（請求項４に記載した発明）。このかしめ接合は、上面板６と底板５の前記突起物５Ａの頂部とのかしめ接合８と同じ構造である。
【００２４】
上記のかしめ接合８によって、突起が例えば直径６ｍｍ程度の大きさで下向きに生じても、図２のように、パネル外周縁部にエッジガイド３を取り付けるのに必要とされる嵌め込み深さ（少なくとも２ｍｍ位）を十分確保することができ、エッジガイド３をパネル外周縁部に嵌めて取り付けることに一切の支障がない。
【００２５】
要するに、底板５の上記広幅なフランジ部５Ｂのかしめ接合８は、パネル外周縁部へ嵌めるエッジガイド３が当たらない部位に、上面板６から底板５に向かう膨出型で深絞りのかしめ接合８として高強度に行われ、上面板６と底板５は強く一体的に結合されている。
【００２６】
（仮止め）
なお、上面板６と底板５を上記２種のかしめ接合８及び１１により一体的に結合する加工の前処理として、上面板６と底板５は、図１及び図２中に符号１２で指示したパネル四隅の部位を予めスポット的に仮止めされる。この仮止め１２は、具体的には、図２（ロ）に断面形状を示したように、上面板６の該当個所へ予め下孔を設けておいて、底板５の対応部分を前記下孔へ押し込んで簡易に止めた構造であり、上面板６の上面から突起物を生じないように行われている。この仮止め１２は、パネル外周縁部へ嵌めるエッジガイド３が当たる範囲に加工されている（図１，図２を参照）けれども、突起を生じないから、やはりエッジガイド３を嵌めて取り付けることに障害物とはならない。上面板６と底板５は、前記の仮止め１２で四隅部分を簡易に止めているが故に、かしめ加工機の金型への搬入及び位置決めの作業を自動機械で正確に迅速に行うことができる。
【００２７】
上記のようにして、この床板パネル１０には、四辺の外周縁部の全周に、図２，図３に示したように、断面がコ字形のエッジガイド３を嵌めて取り付けることができ、エッジガイド付き床板パネルとしてフリーアクセスフロアの構築に使用されるのである。
【００２８】
【発明の効果】
請求項１および請求項２、３，４に記載した発明に係る床板パネルのエッジガイド取付構造、及び床板パネルは、同床板パネルの製造を、製造速度が速く、製造コストの面で極めて有利なかしめ接合を採用して行うことができる。それでいて、かしめ接合の欠点であるコ字形断面のエッジガイドを嵌めて取り付ける際の障害物は一切生じさせない。従って、本発明の床板パネルは、四辺の全周にエッジガイドを取り付けた安価なエッジガイド付き床板パネルとして提供され、フリーアクセスフロアの構築に寄与する。
本発明によれば、強度と構造的安定性に優れ、製造コストが安価なエッジガイド付き床板パネルを提供することができる。
【図面の簡単な説明】
【図１】本発明に係る床板パネルの実施形態を示した底面図である。
【図２】前記床板パネルの四隅の一つを拡大して示した底面図で、同（イ）図はイ−イ線矢視の断面図、同（ロ）図はロ−ロ線矢視の断面図、同（ハ）図はハ−ハ線矢視の断面図である。
【図３】図２のＩＩＩ−ＩＩＩ線矢視の断面図である。
【図４】図１のＩＶ−ＩＶ線矢視の拡大した断面図である。
【図５】エッジガイド付き床板パネルによるフリーアクセスフロアの構築状況を示す斜視図である。
【図６】図５に指示したＶＩ−ＶＩ線矢視の拡大断面図である。
【図７】交点固定型のフリーアクセスフロアの構築に使用する支持脚の斜視図である。
【図８】交点固定型のフリーアクセスフロアの支持脚による支持構造を示した半分断面の立面図である。
【符号の説明】
１０    床板パネル
３      エッジガイド
６      上面板
５      底板
５Ｂ    フランジ部
８      かしめ接合（膨出型）
１１    かしめ接合（フラット型）
５Ａ    突起物
５Ｃ    周側壁
【図１】
2004218279.tif 000003
【図２】
2004218279.tif 000004
【図３】
2004218279.tif 000005
【図４】
2004218279.tif 000006
【図５】
2004218279.tif 000007
【図６】
2004218279.tif 000008
【図７】
2004218279.tif 000009
【図８】
2004218279.tif 000010